(57)【特許請求の範囲】
【請求項１】
基地局によって実行される、システム情報を送信する方法であって、
現在サポートされている複数の第２のシステム情報の識別子を判定することであって、第１のシステム情報は、現基地局により周期的にブロードキャストされるシステム情報を意味し、該複数の第２のシステム情報は、該第１のシステム情報に含まれるシステム情報以外のシステム情報を意味する、判定することと、
該複数の第２のシステム情報の該識別子に基づいて、該複数の第２のシステム情報の送信ステータスを判定することと、
該第１のシステム情報をブロードキャストすることと、を含み、該第１のシステム情報は、該複数の第２のシステム情報の該識別子及び該送信ステータスを含み、該送信ステータスは、対応する第２のシステム情報が現在送信中であるか否かを示すために使用される、方法。
【請求項２】
前記送信ステータスが、第１の送信ステータスと第２の送信ステータスを含み、該第１の送信ステータスは、前記対応する第２のシステム情報が現在送信中であることを示すために使用され、該第２の送信ステータスは、前記対応する第２のシステム情報が現在送信中ではないことを示すために使用される、請求項１に記載の方法。
【請求項３】
前記複数の第２のシステム情報のそれぞれについて、前記第２のシステム情報の前記送信ステータスが前記第１の送信ステータスである場合には、前記第１のシステム情報は、前記第２のシステム情報の送信モードをさらに含み、該送信モードはブロードキャスト・モード又はユニキャスト・モードを含む、請求項２に記載の方法。
【請求項４】
前記複数の第２のシステム情報のそれぞれについて、前記第２のシステム情報の前記送信モードが前記ブロードキャスト・モードである場合には、前記第１のシステム情報は、前記第２のシステム情報のブロードキャスト・アドレスをさらに含む、請求項３に記載の方法。
【請求項５】
端末によって実行される、システム情報を取得する方法であって、
基地局によりブロードキャストされる第１のシステム情報を受信することであって、該第１のシステム情報は複数の第２のシステム情報の識別子及び送信ステータスを含み、該送信ステータスは対応する第２のシステム情報が現在送信中であるか否かを示すために使用され、該第１のシステム情報は該基地局により周期的にブロードキャストされるシステム情報を意味し、該複数の第２のシステム情報は該第１のシステム情報に含まれるシステム情報以外のシステム情報を意味する、受信することと、
対象のシステム情報が取得される必要がある場合には、該対象のシステム情報の識別子に基づいて、該第１のシステム情報から、該対象のシステム情報の送信ステータスを取得することであって、該対象のシステム情報は該複数の第２のシステム情報のいずれか一つである、取得することと、
該対象のシステム情報の該送信ステータスに基づいて、該対象のシステム情報が現在送信中であると判定する場合には、該基地局により現在送信中の情報に基づいて、該対象のシステム情報を取得することと、を含む方法。
【請求項６】
前記基地局により現在送信中の情報に基づく前記対象のシステム情報の前記取得の前に、
前記対象のシステム情報の前記送信ステータスが前記第１の送信ステータスであるか否かを判断することであって、前記第１の送信ステータスは前記対象のシステム情報が現在送信中であることを示すために使用される、判断することと、
前記対象のシステム情報の前記送信ステータスが前記第１の送信ステータスである場合には、前記対象のシステム情報が現在送信中であると判定することと、をさらに含む請求項５に記載の方法。
【請求項７】
前記基地局により現在送信中の情報に基づく前記対象のシステム情報の前記取得が、
前記第１のシステム情報から、前記対象のシステム情報の送信モードを取得することと、
前記対象のシステム情報の該送信モードがブロードキャスト・モードである場合、前記第１のシステム情報から、前記対象のシステム情報のブロードキャスト・アドレスを取得することと、
該ブロードキャスト・アドレスに基づいて、前記基地局により現在送信中の情報から、前記対象のシステム情報を取得することと、を含む請求項５に記載の方法。
【請求項８】
システム情報を送信するための装置であって、
プロセッサと、
前記プロセッサによって実行可能な命令を格納するように構成されたメモリと、を含み、
前記プロセッサは、
現在サポートされている複数の第２のシステム情報の識別子を判定し、ここで、第１のシステム情報は現基地局により周期的にブロードキャストされるシステム情報を意味し、該複数の第２のシステム情報は該第１のシステム情報に含まれるシステム情報以外のシステム情報を意味しており、
該複数の第２のシステム情報の該識別子に基づいて、該複数の第２のシステム情報の送信ステータスを判定し、
該第１のシステム情報をブロードキャストする、ように構成されており、ここで該第１のシステム情報が該複数の第２のシステム情報の該識別子及び該送信ステータスを含み、該送信ステータスは対応する第２のシステム情報が現在送信中であるか否かを示すために使用される、装置。
【請求項９】
前記送信ステータスが第１の送信ステータスと第２の送信ステータスを含み、該第１の送信ステータスは、前記対応する第２のシステム情報が現在送信中であることを示すために使用され、該第２の送信ステータスは、前記対応する第２のシステム情報が現在送信中ではないことを示すために使用される、請求項８に記載の装置。
【請求項１０】
前記複数の第２のシステム情報のそれぞれについて、前記第２のシステム情報の前記送信ステータスが前記第１の送信ステータスである場合には、前記第１のシステム情報が、前記第２のシステム情報の送信モードをさらに含み、該送信モードはブロードキャスト・モード又はユニキャスト・モードを含む、請求項９に記載の装置。
【請求項１１】
前記複数の第２のシステム情報のそれぞれについて、前記第２のシステム情報の前記送信モードが前記ブロードキャスト・モードである場合には、前記第１のシステム情報が、前記第２のシステム情報のブロードキャスト・アドレスをさらに含む、請求項１０に記載の装置。
【請求項１２】
システム情報を取得するための装置であって、
プロセッサと、
前記プロセッサによって実行可能な命令を格納するように構成されたメモリと、を含み、
前記プロセッサは、
基地局によってブロードキャストされる第１のシステム情報を受信し、ここで、該第１のシステム情報は複数の第２のシステム情報の識別子及び送信ステータスを含み、該送信ステータスは、対応する第２のシステム情報が現在送信中であるか否かを示すために使用され、該第１のシステム情報は該基地局により周期的にブロードキャストされるシステム情報を意味し、該複数の第２のシステム情報は該第１のシステム情報に含まれるシステム情報以外のシステム情報を意味しており、
対象のシステム情報が取得される必要がある場合、該対象のシステム情報の識別子に基づいて、該第１のシステム情報から、該対象のシステム情報の送信ステータスを取得し、ここで、該対象のシステム情報は該複数の第２のシステム情報のうちのいずれか一つであり、
該対象のシステム情報の該送信ステータスに基づいて、該対象のシステム情報が現在送信中であると判定された場合、該基地局により現在送信中の情報に基づいて、該対象のシステム情報を取得する、ように構成される、装置。
【請求項１３】
前記プロセッサは、
前記対象のシステム情報の前記送信ステータスが第１の送信ステータスであるか否かを判断し、ここで該第１の送信ステータスは、前記対象のシステム情報が現在送信中であることを示すために使用され、
前記対象のシステム情報の前記送信ステータスが該第１の送信ステータスである場合、前記対象のシステム情報は現在送信中であると判定する、ようにさらに構成される、請求項１２に記載の装置。
【請求項１４】
前記プロセッサは、
前記第１のシステム情報から、前記対象のシステム情報の送信モードを取得し、
前記対象のシステム情報の該送信モードがブロードキャスト・モードである場合、前記第１のシステム情報から、前記対象のシステム情報のブロードキャスト・アドレスを取得し、
該ブロードキャスト・アドレスに基づいて、前記基地局により現在送信中の情報から、前記対象のシステム情報を取得する、ようにさらに構成される、請求項１２に記載の装置。
【発明の詳細な説明】
【技術分野】
【０００１】
本開示は、通信テクノロジーの分野に関し、詳細には、システム情報を送信する方法、および装置に関する。
関連出願との相互参照として、本出願は、２０１６年１１月２０日に出願された国際出願第ＰＣＴ／ＣＮ２０１６／１１１０６７号の続きであり、その全内容は参照により本明細書に組み込まれる。
【背景技術】
【０００２】
通信ネットワークにおいて、一般に、基地局は、自局の管理範囲内の端末にシステム情報を送信する必要がある。このシステム情報は、端末のネットワーク通信をサポートするためのものである。例えば、システム情報は、セルリソース情報、セル再選択情報、又はＴＡ（タイミングアドバンス）リストなどの情報を含むことができる。
【０００３】
現在、５Ｇ（第５世代移動通信テクノロジー）が、急速に発展している。５Ｇ通信ネットワークにおけるシステム情報は、２０１６年８月のＲＡＮ２＃会議において、最小限ＳＩ（最小限度システム情報）とその他のＳＩ（その他のシステム情報）に分類された。そこで、最小限ＳＩは、基地局が周期的にブロードキャストする必要のあるシステム情報を意味し、少なくとも、セルリソース情報、及び基地局がサポートするその他のＳＩの識別子を含む。その他のＳＩは、最小限ＳＩでブロードキャストされないシステム情報を意味する。すなわち、その他のＳＩは、最小限ＳＩに含まれるシステム情報以外のシステム情報を意味する。また、その他のＳＩは、端末の必要に従って送信される必要がある。
【発明の概要】
【０００４】
本開示の発明は、システム情報を送信する方法を提供する。この方法は、
第１のシステム情報から、現在サポートされている複数の第２のシステム情報の識別子を判定することであって、第１のシステム情報は、現基地局が周期的にブロードキャストするシステム情報を意味し、複数の第２のシステム情報は、第１のシステム情報に含まれるシステム情報以外のシステム情報を意味する、判定することと、
複数の第２のシステム情報の識別子に基づいて、複数の第２のシステム情報の送信ステータスを判定することと、
第１のシステム情報をブロードキャストすることと、を含み、第１のシステム情報は、複数の第２のシステム情報の識別子及び送信ステータスを含み、送信ステータスは、対応する第２のシステム情報が、現在送信中であるか否かを示すために使用される。
【０００５】
任意選択的に、送信ステータスは、第１の送信ステータスと第２の送信ステータスを含み、第１の送信ステータスは、対応する第２のシステム情報が、現在送信中であることを、また、第２の送信ステータスは、対応する第２のシステム情報が、現在送信中ではないことを示すために、使用される。
【０００６】
任意選択的に、複数の第２のシステム情報のそれぞれについて、第２のシステム情報の送信ステータスが第１の送信ステータスである場合、第１のシステム情報は、第２のシステム情報の送信モードをさらに含み、送信モードは、ブロードキャスト・モード又はユニキャスト・モードを含む。
【０００７】
任意選択的に、複数の第２のシステム情報のそれぞれについて、第２のシステム情報の送信モードがブロードキャスト・モードである場合、第１のシステム情報は、第２のシステム情報のブロードキャスト・アドレスをさらに含む。
【０００８】
本開示の発明は、システム情報を送信する方法を提供する。その方法は、
基地局によりブロードキャストされる第１のシステム情報を受信することであって、第１のシステム情報は、複数の第２のシステム情報の識別子及び送信ステータスを含み、送信ステータスは、対応する第２のシステム情報が、現在送信中であるか否かを示すために使用され、第１のシステム情報は基地局により周期的にブロードキャストされるシステム情報を意味し、複数の第２のシステム情報は、第１のシステム情報に含まれるシステム情報以外のシステム情報を意味する、受信することと、
対象のシステム情報を取得する必要があるとき、対象のシステム情報の識別子に基づいて、第１のシステム情報から、対象のシステム情報の送信ステータスを取得することであって、対象のシステム情報は複数の第２のシステム情報のいずれか一つである、取得することと、
対象のシステム情報の送信ステータスに基づいて、対象のシステム情報が現在送信中であると判定した場合、基地局により現在送信中である情報に基づいて、対象システム情報を取得することとを含む。
【０００９】
任意選択的に、基地局により現在送信中の情報に基づく、対象のシステム情報の前記取得の前に、方法は、
対象のシステム情報の送信ステータスが第１の送信ステータスであるか否かを判断することであって、第１の送信ステータスは、対象のシステム情報が現在送信中であることを示すために使用される、判断することと、
対象のシステム情報の送信ステータスが第１の送信ステータスである場合、対象のシステム情報は現在送信中であると判定することと、をさらに含む。
【００１０】
任意選択的に、基地局によって現在送信中である情報に基づく対象のシステム情報の前記取得することは、
第１のシステム情報から、対象のシステム情報の送信モードを取得することと、
対象のシステム情報の送信モードがブロードキャスト・モードである場合、第１のシステム情報から、対象のシステム情報のブロードキャスト・アドレスを取得することと、
ブロードキャスト・アドレスに基づいて、基地局によって現在送信中である情報から、対象のシステム情報を取得することと、を含む。
【００１１】
本開示の発明は、システム情報を送信する装置を提供する。この装置は、
プロセッサと、
前記プロセッサによって実行可能な命令を格納するように構成されるメモリと、を含み、
前記プロセッサは、
第１のシステム情報から、現在サポートされている複数の第２のシステム情報の識別子を判定し、ここで、第１のシステム情報は、現基地局が周期的にブロードキャストするシステム情報を意味し、複数の第２のシステム情報は、第１のシステム情報に含まれるシステム情報以外のシステム情報を意味しており、
複数の第２のシステム情報の識別子に基づいて、複数の第２のシステム情報の送信ステータスを判定し、
第１のシステム情報をブロードキャストする、ように構成される。ここで、第１のシステム情報は、複数の第２のシステム情報の識別子及び送信ステータスを含み、送信ステータスは、対応する第２のシステム情報が、現在送信中であるか否かを示すために使用される。
【００１２】
任意選択的に、送信ステータスは、第１の送信ステータスと第２の送信ステータスを含み、第１の送信ステータスは、対応する第２のシステム情報が、現在送信中であることを、また、第２の送信ステータスは、対応する第２のシステム情報が、現在送信中ではないことを示すために、使用される。
【００１３】
任意選択的に、複数の第２のシステム情報のそれぞれについて、第２のシステム情報の送信ステータスが第１の送信ステータスである場合、第１のシステム情報は、第２のシステム情報の送信モードをさらに含み、送信モードは、ブロードキャスト・モード又はユニキャスト・モードを含む。
【００１４】
任意選択的に、複数の第２のシステム情報のそれぞれについて、第２のシステム情報の送信モードがブロードキャスト・モードである場合、第１のシステム情報は、第２のシステム情報のブロードキャスト・アドレスをさらに含む。
【００１５】
本開示の発明は、システム情報を送信するための装置を提供する。
【００１６】
その装置は、
プロセッサと、
前記プロセッサによって実行可能な命令を格納するように構成されるメモリと、を含み、
前記プロセッサは、
基地局によりブロードキャストされる第１のシステム情報を受信し、ここで、第１のシステム情報は、複数の第２のシステム情報の識別子及び送信ステータスを含み、送信ステータスは、対応する第２のシステム情報が、現在送信中であるか否かを示すために使用され、第１のシステム情報は基地局により周期的にブロードキャストされるシステム情報を意味し、複数の第２のシステム情報は、第１のシステム情報に含まれるシステム情報以外のシステム情報を意味しており、
対象のシステム情報を取得する必要がある場合、対象のシステム情報の識別子に基づいて、第１のシステム情報から、対象のシステム情報の送信ステータスを取得し、ここで、対象のシステム情報は複数の第２のシステム情報のいずれか一つであり、
対象のシステム情報の送信ステータスに基づいて、対象のシステム情報が現在送信中であると判定された場合、基地局により現在送信中である情報に基づいて、対象システム情報を取得する、ように構成される。
【００１７】
任意選択的に、前記プロセッサは、さらに、
対象のシステム情報の送信ステータスが第１の送信ステータスであるか否かを判断し、ここで、第１の送信ステータスは、対象のシステム情報が現在送信中であることを示すために使用されており、
対象のシステム情報の送信ステータスが第１の送信ステータスである場合、対象のシステム情報は現在送信中であると判定する、ように構成される。
【００１８】
任意選択的に、前記プロセッサは、さらに、
第１のシステム情報から、対象のシステム情報の送信モードを取得し、
対象のシステム情報の送信モードがブロードキャスト・モードである場合、第１のシステム情報から、対象のシステム情報のブロードキャスト・アドレスを取得し、
ブロードキャスト・アドレスに基づいて、基地局により現在送信中である情報から、対象のシステム情報を取得する、ように構成される。
【００１９】
以上の概要説明及び以下の詳細説明は、例示であり説明であって、本開示を制限するものではないと理解されなければならない。
【図面の簡単な説明】
【００２０】
ここに記載する図面は、本開示の明細書に組み入れられ、その一部をなすものであり、本開示に一致する実施形態を示し、説明記載と合わさって、本開示の原理を説明する。
【００２１】
【図１】本開示の例示的実施形態によるシステム情報を送信する方法のフローチャートである。
【００２２】
【図２】本開示の例示的実施形態によるシステム情報を送信する方法のフローチャートである。
【００２３】
【図３】本開示の例示的実施形態によるシステム情報を送信する方法のフローチャートである。
【００２４】
【図４】本開示の例示的実施形態によるシステム情報を送信するための装置のブロック図である。
【００２５】
【図５Ａ】本開示の例示的実施形態によるシステム情報を送信するための装置のブロック図である。
【００２６】
【図５Ｂ】本開示の例示的実施形態によるシステム情報を送信するための装置のブロック図である。
【００２７】
【図５Ｃ】本開示の例示的実施形態による第２の取得サブモジュール５０３の構造概略図である。
【００２８】
【図６】本開示の例示的実施形態によるシステム情報を送信するための装置６００のブロック図である。
【００２９】
【図７】本開示の例示的実施形態によるシステム情報を送信するための装置７００のブロック図である。
【発明を実施するための形態】
【００３０】
以下、例示的実施形態を詳細に説明する。実施形態は、図面に示す。以下の説明の図面を参照において、異なる図面の同じ番号は、特に指示のない限り、同じ又は類似の要素を指す。以下の例示的実施形態において説明する実施形態は、本開示に一致するすべての実施形態を代表するものではない。そうではなく、それらは、ここに付加した請求の範囲に詳細記載される本開示のいくつかの発明に一致する装置及び方法の単なる例示である。
【００３１】
本開示の実施形態の詳細説明の前に、本発明の実施形態の応用のシナリオを、まず紹介する。本開示の実施形態により提供される方法は、基地局が端末にシステム情報を送信するシナリオに適用される。５Ｇ通信ネットワークにおいて、システム情報は、最小限ＳＩとその他のＳＩに分類される。基地局は、最小限ＳＩを周期的にブロードキャストすることができるが、端末が必要とするその他のＳＩは送信する必要がある。すなわち、端末は、その他のＳＩを取得する必要がある場合、基地局に取得要求を送信する必要があり、基地局は、取得要求を受信するまで、その他のＳＩを、端末に送信、又はブロードキャストすることはできない。先行技術においては、その他のＳＩのそれぞれについて、端末は、取得のための基地局に取得要求を送る必要があるので、システム情報の送信効率が比較的低い。そのうえ、重い信号伝送負荷が、基地局にかかることになる。システム情報の送信効率を向上し、基地局の信号伝送負荷を軽減するため、本開示の実施形態は、以下に詳細を述べる、システム情報を送信する方法を提供する。
【００３２】
図１は、本開示の例示的実施形態によるシステム情報を送信する方法のフローチャートである。図１に示すように、この方法は、基地局に応用され、以下のステップを含む。
【００３３】
ステップ１０１において、現在サポートされている複数の第２のシステム情報の識別子を、第１のシステム情報から判定する。第１のシステム情報は、現基地局が周期的にブロードキャストするシステム情報を意味する。複数の第２のシステム情報は、第１のシステム情報に含まれるシステム情報以外のシステム情報を意味する。
【００３４】
ステップ１０２において、複数の第２のシステム情報の送信ステータスが、複数の第２のシステム情報の識別子に基づいて判定される。
【００３５】
ステップ１０３において、第１のシステム情報がブロードキャストされる。第１のシステム情報は、複数の第２のシステム情報の識別子及び送信ステータスを含む。送信ステータスは、対応する第２のシステム情報が現在送信中であるか否かを示すために使用される。
【００３６】
本開示の実施形態において、基地局は、第１のシステム情報から現在サポートされている複数の第２のシステム情報の識別子を判定することができ、さらに、複数の第２のシステム情報の識別子に基づいて、複数の第２のシステム情報の送信ステータスを判定することができ、したがって、複数の第２のシステム情報の識別子及び送信ステータスを含む第１のシステム情報をブロードキャストすることができる。送信ステータスは、対応する第２のシステム情報が現在送信中であるか否かを示すために使用される。第１のシステム情報は、基地局が周期的にブロードキャストするシステム情報を意味する。第２のシステム情報は、第１のシステム情報に含まれるシステム情報以外のシステム情報を意味する。第１のシステム情報は、第２のシステム情報のそれぞれの送信ステータスを含むので、基地局によってブロードキャストされるシステム情報を受信した後、端末は、第１のシステム情報に基づいて、現在取得する必要のある第２のシステム情報が、現在送信中であるか否かを判定することができる。それが送信中である場合には、第２のシステム情報は、基地局に取得要求を送ることなく、基地局によって現在送信中である情報から直接取得することができ、基地局は、第２のシステム情報を再送する必要がない。したがって、システム情報の送信効率が向上し、基地局の信号伝送負荷が軽減される。
【００３７】
任意選択的に、送信ステータスは、第１の送信ステータスと第２の送信ステータスを含む。第１の送信ステータスは、対応する第２のシステム情報が現在送信中であることを示すために使用される。第２の送信ステータスは、対応する第２のシステム情報が現在送信中ではないことを示すために使用される。
【００３８】
任意選択的に、複数の第２のシステム情報のそれぞれについて、第２のシステム情報の送信ステータスが第１の送信ステータスである場合には、第１のシステム情報は、第２のシステム情報の送信モードをさらに含む。送信モードは、ブロードキャスト・モード又はユニキャスト・モードを含む。
【００３９】
任意選択的に、複数の第２のシステム情報のそれぞれについて、第２のシステム情報の送信モードがブロードキャスト・モードである場合には、第１のシステム情報は、第２のシステム情報のブロードキャスト・アドレスをさらに含む。
【００４０】
以上のすべての任意選択的解決手段のあらゆる組み合わせが、本開示の任意選択的実施形態を構成し得るが、ここでは、一つ一つ記述しない。
【００４１】
図２は、本開示の例示的実施形態によるシステム情報を送信する方法のフローチャートである。図２に示すように、この方法は、端末に応用され、以下のステップを含む。
【００４２】
ステップ２０１において、基地局によってブロードキャストされた第１のシステム情報が受信される。第１のシステム情報は、複数の第２のシステム情報の識別子及び送信ステータスを含む。送信ステータスは、対応する第２のシステム情報が現在送信中であるか否かを示すために使用される。第１のシステム情報は、基地局が周期的にブロードキャストするシステム情報を意味する。複数の第２のシステム情報は、第１のシステム情報に含まれるシステム情報以外のシステム情報を意味する。
【００４３】
ステップ２０２において、対象のシステム情報の取得が必要なとき、対象のシステム情報の送信ステータスが、対象のシステム情報の識別子にも基づいて、第１のシステム情報から取得される。対象のシステム情報は、複数の第２のシステム情報のいずれか一つである。
【００４４】
ステップ２０３において、対象のシステム情報の送信ステータスに基づいて、対象のシステム情報が現在送信中であると判定された場合、対象のシステム情報は、基地局により現在送信中の情報に基づいて取得される。
【００４５】
本開示の実施形態において、端末は、基地局によりブロードキャストされる第１のシステム情報を受信することができる。第１のシステム情報は、基地局によりサポートされている複数の第２のシステム情報の識別子及び送信ステータスを含むので、端末は、対象のシステム情報を取得する必要がある場合、第１のシステム情報から、対象のシステム情報の送信ステータスを取得することができる。対象のシステム情報は、複数の第２のシステム情報のいずれか一つである。対象のシステム情報の送信ステータスに基づいて、対象のシステム情報が、現在送信中であると判定された場合には、対象のシステム情報は、基地局に取得要求を送ることなく、基地局によって現在送信中である情報に基づいて、直接取得することができ、基地局は、その第２のシステム情報を再送する必要がない。したがって、システム情報の送信効率が向上し、基地局の信号伝送負荷が軽減される。
【００４６】
任意選択的に、基地局により現在送信中である情報に基づく対象のシステム情報の前記取得の前に、この方法は、
対象のシステム情報の送信ステータスが第１の送信ステータスであるか否かを判断することであって、第１の送信ステータスは、対象のシステム情報が現在送信中であることを示すために使用される、判断することと、
対象のシステム情報の送信ステータスが第１の送信ステータスである場合には、対象のシステム情報が現在送信中であると判定することと、をさらに含む。
【００４７】
任意選択的に、基地局により現在送信中である情報に基づく対象のシステム情報の前記取得は、
第１のシステム情報から対象のシステム情報の送信モードを取得することと、
対象のシステム情報の送信モードがブロードキャスト・モードである場合、第１のシステム情報から、対象のシステム情報のブロードキャスト・アドレスを取得することと、
ブロードキャスト・アドレスに基づいて、基地局により現在送信中の情報から対象のシステム情報を取得することと、を含む。
【００４８】
以上のすべての任意選択的解決手段のあらゆる組み合わせが、本開示の任意選択的実施形態を構成し得るが、ここでは、一つ一つ記述しない。
【００４９】
図３は、本開示の例示的実施形態によるシステム情報を送信する方法のフローチャートである。この方法の相互作用の主体は、基地局と端末である。例えば、基地局と端末は、５Ｇ通信ネットワークにおける基地局と端末であり得る。図３に示すように、この方法は、以下のステップを含む。
【００５０】
ステップ３０１において、基地局は、第１のシステム情報から、現在サポートされている複数の第２のシステム情報の識別子を判定する。第１のシステム情報は、現基地局が周期的にブロードキャストするシステム情報を意味する。複数の第２のシステム情報は、第１のシステム情報に含まれるシステム情報以外のシステム情報を意味する。つまり、複数の第２のシステム情報は、第１のシステム情報に含まれていないシステム情報を意味する。
【００５１】
第１のシステム情報は、基地局が、第１のシステム情報から、複数の第２のシステム情報の識別子を判定することができるように、基地局により現在サポートされている複数の第２のシステム情報の識別子を含むことができる。
【００５２】
５Ｇ通信ネットワークを例に取ると、第１のシステム情報は、最小限ＳＩとすることでき、第２のシステム情報は、その他のＳＩとすることができる。最小限ＳＩは、少なくとも、基地局によってサポートされている複数のその他のＳＩのセルリソース情報及び識別子を含む。最小限ＳＩは、基地局により周期的にブロードキャストされる。その他のＳＩは、基地局の管理範囲内の端末の要求に基づいて送信される必要がある。
【００５３】
ステップ３０２において、基地局は、複数の第２のシステム情報の識別子に基づいて、複数の第２のシステム情報の送信ステータスを判定する。送信ステータスは、対応する第２のシステム情報が送信中であるか否かを示すために使用される。
【００５４】
基地局は、複数の第２のシステム情報の識別子により、基地局によってサポートされている複数の第２のシステム情報の識別を判定することができる。さらに、複数の第２のシステム情報のそれぞれについて、第２のシステム情報が現在送信中であるか否かを判定する。すなわち、複数の第２のシステム情報のそれぞれの送信ステータスを判定する。
【００５５】
ステップ３０３において、基地局は、第１のシステム情報をブロードキャストする。第１のシステム情報は、複数の第２のシステム情報の識別子及び送信ステータスを含む。
【００５６】
複数の第２のシステム情報のそれぞれの送信ステータスを判定した後、基地局は、第２のシステム情報のそれぞれの送信ステータスを付加して、対応する第２のシステム情報が送信中であるか否かを示す、ブロードキャストされる第１のシステム情報とすることができる。
【００５７】
基地局は、第１のシステム情報を周期的にブロードキャストする。第１のシステム情報のブロードキャスト・サイクルは、基地局がデフォルトを設定することができ、基地局と端末の協議によって設定することもでき、これは、本開示の実施形態によって制限されない。
【００５８】
さらに、送信ステータスは、第１の送信ステータスと第２の送信ステータスを含むことができる。第１の送信ステータスは、対応する第２のシステム情報が送信中であることを示すために使用される。第２の送信ステータスは、対応する第２のシステム情報が送信中ではないことを示すために使用される。
【００５９】
複数の第２のシステム情報の一部が基地局より送信されており、一部が基地局より送信されていないことがあり得ることを考慮して、第２のシステム情報のそれぞれが送信中であるか否かを明確に示すために、送信ステータスは、上述の２種の送信ステータスを含むことができる。
【００６０】
一つの実施形態においては、上述の２種の送信ステータスをそれぞれ示すために、２つの異なるステータスの指示識別子を採用することができる。例えば、第１の送信ステータスを示すために、第１のステータス指示識別子を採用することができ、第２の送信ステータスを示すために、第２のステータス指示識別子を採用することができる。例示的に、第１のステータス識別子を、０とし、第２のステータス識別子を、１とすることができる。
【００６１】
さらに、複数の第２のシステム情報のそれぞれについて、第２のシステム情報の送信ステータスが第１の送信ステータスである場合、第１のシステム情報は、第２のシステム情報の送信モードをさらに含む。送信モードは、ブロードキャスト・モード又はユニキャスト・モードを含む。
【００６２】
すなわち、現在送信中である第２のシステム情報について、基地局は、第２のシステム情報の送信モードをさらに判定することができる。すなわち、第２のシステム情報が、ブロードキャスト又はユニキャストのどちらによって現在送信中であるかが判定される。そして、第２のシステム情報の送信モードは、基地局により第１のシステム情報に示され得る。
【００６３】
一つの実施形態において、上述の２つの送信モードをそれぞれ示すために、２つの異なる送信指示識別子が採用され得る。例えば、ブロードキャスト・モードを示すために第１の送信指示識別子を採用することができ、ユニキャスト・モードを示すために第２の送信指示識別子を採用することができる。例示的に、第１の送信指示識別子を、３とし、第２の送信指示識別子を、４とすることができる。
【００６４】
さらに、複数の第２のシステム情報のそれぞれについて、第２のシステム情報の送信モードがブロードキャスト・モードである場合、第１のシステム情報は、第２のシステム情報のブロードキャスト・アドレスをさらに含む。
【００６５】
すなわち、ブロードキャストによって現在送信中である第２のシステム情報について、基地局は、第２のシステム情報のブロードキャスト・アドレスをさらに判定することができる。そして、第２のシステム情報のブロードキャスト・アドレスは、基地局により第１のシステム情報に示され得る。
【００６６】
ここで、ブロードキャスト・アドレスは、第２のシステム情報の送信中の第２のシステム情報の時間−周波数リソースを示すために使用される。例えば、ブロードキャスト・アドレスは、第２のシステム情報の送信サイクル、第２のシステム情報が存在するサブフレーム情報又はシンボル情報などを含むことができる。
【００６７】
例えば、基地局が、３つの第２のシステム情報、すなわち、その他のＳＩ−１、その他のＳＩ−２、及びその他のＳＩ−３をサポートしており、その他のＳＩ−１とその他のＳＩ−２が、現在送信中であって、その他のＳＩ−３が現在送信中ではなく、その他のＳＩ−１の送信モードが、ブロードキャスト・モードであり、その他のＳＩ−２の送信モードがユニキャスト・モードであると仮定する。これに基づくと、第１のシステム情報は、少なくとも、表１に示す情報を含む。
【表１】
0006839281.tif 000002
【００６８】
本開示の実施形態は、表１を例とすることにより、単に第１のシステム情報を例示しているのであることは認識されるべきである。ただし、表１の形式も内容も、本開示の実施形態を限定するものではない。例えば、別の実施形態において、「送信中」であることを示すために第１のステータス指示識別子０を採用することができ、「送信中ではない」ことを示すために第２のステータス指示識別子１を採用することができ、ブロードキャスト送信を示すために第１の送信指示識別子３を採用することができ、ユニキャスト送信を示すために第２の送信指示識別子４を採用することができる。
【００６９】
ステップ３０４において、端末は、基地局によりブロードキャストされた第１のシステム情報を受信する。
【００７０】
基地局の管理範囲内の端末は、基地局によりブロードキャストされる第１のシステム情報を受信することができる。
【００７１】
ステップ３０５において、端末が対象のシステム情報を取得する場合、対象のシステム情報の識別子に基づいて、第１のシステム情報から、対象のシステム情報の送信ステータスが、端末によって取得される。対象のシステム情報は、複数の第２のシステム情報のいずれか一つである。
【００７２】
対象のシステム情報を取得する必要がある場合、端末は、第１のシステム情報から、対象のシステム情報の識別子が対応する送信ステータスを検索し、対象のシステム情報の識別子が対応する送信ステータスを、対象のシステム情報の送信ステータスと判定することができる。その後、対象のシステム情報が現在送信中であるか否かを、対象のシステム情報の送信ステータスにより、端末が判断することができる。
【００７３】
一つの実施形態において、対象のシステム情報の送信ステータスによる、対象のシステム情報が現在送信中であるか否かの前記判断は、対象のシステム情報の送信ステータスが第１の送信ステータスであるか否かを判断することと、対象のシステム情報の送信ステータスが第１の送信ステータスである場合、対象のシステム情報が現在送信中であると判定することと、対象のシステム情報の送信ステータスが第２の送信ステータスである場合、対象のシステム情報が現在送信中ではないと判定することと、を含む。
【００７４】
ステップ３０６において、端末は、対象のシステム情報の送信ステータスに基づいて、対象のシステム情報が現在送信中であると判定された場合、基地局により現在送信中である情報に基づいて、対象のシステム情報を取得する。
【００７５】
ここで、基地局により現在送信中である情報に基づく対象のシステム情報の前記取得は、第１のシステム情報から、対象のシステム情報の送信モードを取得することと、対象のシステム情報の送信モードがブロードキャスト・モードである場合、第１のシステム情報から、対象のシステム情報のブロードキャスト・アドレスを取得することと、ブロードキャスト・アドレスに基づいて、基地局により現在送信中の情報から、対象のシステム情報を取得することと、を含む。
【００７６】
さらに、対象のシステム情報の送信ステータスに基づいて、対象のシステム情報が現在送信中ではないと判定された場合、又は、対象のシステム情報の送信ステータスに基づいて、対象のシステム情報がユニキャストによって現在送信中であると判定された場合、端末は、基地局に取得要求を送信することができる。取得要求は、対象のシステム情報の識別子を含むものであって、基地局が対象のシステム情報を、端末に送信するよう要求するためのものである。取得要求を受信した後、基地局は、対象のシステム情報を、端末に送信することができる。
【００７７】
すなわち、実際、基地局の管理範囲内の特定端末が対象のシステム情報を取得する必要がある場合、基地局がサポートし得る複数の第２のシステム情報のうち、一部は基地局によって送信中であるかもしれず、また、一部は送信中ではないかもしれない。送信中の第２のシステム情報のうち、一部は、ブロードキャストによって送信されているかもしれず、また、一部は、ユニキャストによって、すなわち、エンド・ツー・エンドによって送信されているかもしれない。端末が、ブロードキャストによって送信されている第２のシステム情報のブロードキャスト・アドレスを認識している場合、基地局により現在ブロードキャストされている対象のシステム情報は、ブロードキャスト・アドレスに基づいて、端末による受信が可能である。ユニキャストによって送信されている第２のシステム情報は、基地局によって、ブロードキャストではなく、エンド・ツー・エンドで他の端末に送信されているので、端末は、その第２のシステム情報を受信することができない。
【００７８】
それゆえ、対象のシステム情報が現在送信中ではない場合、端末は、取得要求を送ることで、基地局から対象のシステム情報のみを取得できる。対象のシステム情報が現在送信中である場合は、端末は、第１のシステム情報に対象のシステム情報の送信モードを問い合わせることができる。対象のシステム情報の送信モードがブロードキャスト・モードである場合には、基地局により現在ブロードキャストされている対象のシステム情報は、対象のシステム情報のブロードキャスト・アドレスにより、端末が直接取得することが可能である。対象のシステム情報の送信モードがユニキャスト・モードである場合にも、対象のシステム情報を取得するために、端末は、基地局に取得要求を送る必要がある。
【００７９】
基地局により現在ブロードキャストされている対象のシステム情報は、対象のシステム情報のブロードキャスト・アドレスにより、受信されるので、端末は、対象のシステム情報を取得するために、基地局に要求を送信する必要はない。したがって、対象のシステム情報を送信する効率が向上する。一方、基地局は、対象のシステム情報を再度ブロードキャストする必要がない、したがって、基地局の信号伝送負荷が軽減される。
【００８０】
本開示の実施形態は、単に説明のための例示としてのみ、対象のシステム情報が複数の第２のシステム情報のいずれか一つであるとしていることが、認識されるべきである。しかし、実際には、異なる基地局が、異なる第２のシステム情報をサポートすることがあり得る。端末が取得する必要のある第２のシステム情報は、端末が対応する基地局によって現在サポートされている複数の第２のシステム情報には含まれていないこともあり得る。したがって、端末は、第２のシステム情報を取得する必要がある場合、まず、その端末が取得する必要のある第２のシステム情報の識別子が、第１のシステム情報の中に存在するか否かを判定することができる。それが存在する場合は、ステップ３０５〜３０６が連続して実行される。そうでない場合は、ステップ３０５〜３０６は実行されず、対象のシステム情報を取得するための要求も基地局に送信されない。
【００８１】
本開示の実施形態において、基地局は、第１のシステム情報から、基地局によって現在サポートされている複数の第２のシステム情報の識別子を判定することができ、さらに、複数の第２のシステム情報の識別子に基づいて、複数の第２のシステム情報の送信ステータスを判定することができ、したがって、複数の第２のシステム情報の識別子及び送信ステータスを含む第１のシステム情報をブロードキャストすることができる。送信ステータスは、対応する第２のシステム情報が現在送信中であるか否かを示すために使用される。第１のシステム情報は、基地局が周期的にブロードキャストするシステム情報を意味する。第２のシステム情報は、第１のシステム情報に含まれるシステム情報以外のシステム情報を意味する。第１のシステム情報は第２のシステム情報のそれぞれの送信ステータスを含むので、端末は、基地局によってブロードキャストされたシステム情報を受信した後、現在取得する必要のある第２のシステム情報が、現在送信中であるか否かを、第１のシステム情報に基づいて、判定することができる。送信中である場合、第２のシステム情報は、基地局に取得要求を送ることなく、基地局により現在送信中である情報から、直接取得することが可能であり、基地局は、第２のシステム情報を再送する必要がない。したがって、システム情報を送信する効率が向上し、基地局の信号伝送負荷が軽減される。
【００８２】
図４は、本開示の例示の実施形態によるシステム情報を送信するための装置のブロック図である。この装置は、基地局とすることができる。図４を参照して、装置は、
第１のシステム情報から、現在サポートされている複数の第２のシステム情報の識別子を判定するように構成された第１の判定モジュール４０１であって、第１のシステム情報は、現基地局が周期的にブロードキャストするシステム情報を意味し、複数の第２のシステム情報は、第１のシステム情報に含まれるシステム情報以外のシステム情報を意味する、第１の判定モジュール４０１と、
複数の第２のシステム情報の識別子に基づいて、複数の第２のシステム情報の送信ステータスを判定するように構成された第２の判定モジュール４０２と、
第１のシステム情報をブロードキャストするように構成されたブロードキャスト・モジュール４０３とを、を含み、第１のシステム情報は、複数の第２のシステム情報の識別子及び送信ステータスを含み、送信ステータスは、対応する第２のシステム情報が、現在送信中であるか否かを示すために使用される。
【００８３】
任意選択的に、送信ステータスは、第１の送信ステータスと第２の送信ステータスを含み、第１の送信ステータスは、対応する第２のシステム情報が、現在送信中であることを示すために使用される。第２の送信ステータスは、対応する第２のシステム情報が、現在送信中ではないことを示すために、使用される。
【００８４】
任意選択的に、複数の第２のシステム情報のそれぞれについて、第２のシステム情報の送信ステータスが第１の送信ステータスである場合、第１のシステム情報は、第２のシステム情報の送信モードをさらに含む。送信モードは、ブロードキャスト・モード又はユニキャスト・モードを含む。
【００８５】
任意選択的に、複数の第２のシステム情報のそれぞれについて、第２のシステム情報の送信モードがブロードキャスト・モードである場合、第１のシステム情報は、第２のシステム情報のブロードキャスト・アドレスをさらに含む。
【００８６】
本開示の実施形態において、装置は、第１のシステム情報から、現在サポートされている複数の第２のシステム情報の識別子を判定することができ、さらに、複数の第２のシステム情報の識別子に基づいて、複数の第２のシステム情報の送信ステータスを判定することができ、したがって、複数の第２のシステム情報の識別子及び送信ステータスを含む第１のシステム情報をブロードキャストすることができる。送信ステータスは、対応する第２のシステム情報が現在送信中であるか否かを示すために使用される。第１のシステム情報は、基地局が周期的にブロードキャストするシステム情報を意味する。第２のシステム情報は、第１のシステム情報に含まれるシステム情報以外のシステム情報を意味する。第１のシステム情報は、第２のシステム情報のそれぞれの送信ステータスを含むので、基地局がブロードキャストするシステム情報を受信した後、端末は、第１のシステム情報に基づいて、現在取得する必要のある第２のシステム情報が現在送信中であるか否かを判定することができる。それが送信中である場合、第２のシステム情報は、基地局に取得要求を送ることなく、基地局により現在送信中の情報から直接取得することができ、基地局は、第２のシステム情報を再送する必要がない。したがって、システム情報送信の効率が向上し、基地局の信号伝送負荷が軽減される。
【００８７】
上述の実施形態の装置によって、すべてのモジュールが動作する個別モードは、方法関連の実施形態にすでに詳細説明されているので、以下に詳述はしない。
【００８８】
図５Ａは、本開示の例示的実施形態によるシステム情報を送信するための装置のブロック図である。この装置は端末とすることができる。図５Ａを参照すると、装置は、
基地局によりブロードキャストされる第１のシステム情報を受信するように構成された受信モジュール５０１であって、第１のシステム情報は、複数の第２の情報の識別子及び送信ステータスを含み、送信ステータスは、対応する第２のシステム情報が、現在送信中であるか否かを示すために使用され、第１のシステム情報は基地局により周期的にブロードキャストされるシステム情報を意味し、複数の第２のシステム情報は、第１のシステム情報に含まれるシステム情報以外のシステム情報を意味する、受信モジュール５０１と、
対象のシステム情報を取得する必要がある場合、対象のシステム情報の識別子に基づいて、第１のシステム情報から、対象のシステム情報の送信ステータスを取得するように構成された第１の取得モジュール５０２であって、対象のシステム情報は複数の第２のシステム情報のいずれか一つである、第１の取得モジュール５０２と、
対象のシステム情報の送信ステータスに基づいて、対象のシステム情報が現在送信中であると判定された場合、基地局により現在送信中である情報に基づいて、対象のシステム情報を取得するように構成された第２の取得モジュール５０３と、を含む。
【００８９】
任意選択的に、図５Ｂを参照して、装置は、
対象のシステム情報の送信ステータスが第１の送信ステータスであるか否かを判断するように構成された判断モジュール５０４であって、第１の送信ステータスは、対象のシステム情報が現在送信中であることを示すために使用される、判断モジュール５０４と、
対象のシステム情報の送信ステータスが第１の送信ステータスである場合、対象のシステム情報は現在送信中であると判定するように構成された判定モジュール５０５と、をさらに含む。
【００９０】
任意選択的に、図５Ｃを参照して、第２の取得モジュール５０３は、
第１のシステム情報から、対象のシステム情報の送信モードを取得するように構成された第１の取得サブモジュール５０３１と、
対象のシステム情報の送信モードがブロードキャスト・モードである場合、第１のシステム情報から、対象のシステム情報のブロードキャスト・アドレスを取得するように構成された第２の取得サブモジュール５０３２と、
ブロードキャスト・アドレスに基づいて、基地局により現在送信中である情報から、対象のシステム情報を取得するように構成された第３の取得サブモジュール５０３３と、を含む。
【００９１】
本開示の実施形態において、装置は、基地局によりブロードキャストされる第１のシステム情報を受信することができる。第１のシステム情報は、基地局によりサポートされている複数の第２のシステム情報の識別子及び送信ステータスを含むので、装置は、対象のシステム情報を取得する必要がある場合、第１のシステム情報から、対象のシステム情報の送信ステータスを取得することができる。対象のシステム情報は、複数の第２のシステム情報のうちのいずれか一つである。対象のシステム情報の送信ステータスに基づいて、対象のシステム情報が現在送信中であると判定された場合、対象のシステム情報は、基地局に取得要求を送ることなく、基地局により現在送信中である情報に基づいて、直接取得することが可能であり、基地局は、第２のシステム情報を再送する必要がない。したがって、システム情報の送信効率が向上し、基地局の信号伝送負荷が軽減される。
【００９２】
上述の実施形態の装置によって、すべてのモジュールが動作する個別モードは、方法関連の実施形態にすでに詳細説明されているので、以下に詳述はしない。
【００９３】
図６は、本開示の例示的実施形態によるシステム情報を送信するための装置６００のブロック図である。例えば、装置６００は、基地局として提供することができる。図６を参照すると、装置６００は、処理コンポーネント６２２と、メモリ６３２によって代表されるメモリソースを含む。処理コンポーネント６２２は、一つ以上のプロセッサをさらに含む。メモリリソースは、処理コンポーネント６２２によって実行可能な命令、例えば、アプリケーションプログラムを格納するように構成される。メモリ６３２に格納されたアプリケーションプログラムは、各々が一つの命令に対応する、一つ以上のモジュールを含むことができる。さらに、処理コンポーネント６２２は、上述の方法を実行するために命令を実行するように構成される。
【００９４】
装置６００は、さらに、装置６００の電源管理を実行するように構成された電源コンポーネント６２６と、装置６００をネットワークに接続するように構成された有線又は無線のネットワークインターフェース６５０と、Ｉ／Ｏ（入出力）インターフェース６５８と、をさらに含むことができる。例えば、Ｗｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ、又はその他類似のオペレーティングシステムなど、メモリ６３２に格納されたオペレーションシステムは、装置６００において動作させることができる。
【００９５】
例示的実施形態において、命令を含む非一時的コンピュータ可読記憶媒体が、さらに備えられる。装置は、記憶媒体中の命令が装置６００のプロセッサによって実行されると、システム情報を送信する方法を実行することができる。
この方法は、
第１のシステム情報から、現在サポートされている複数の第２のシステム情報の識別子を判定することであって、第１のシステム情報は、現基地局が周期的にブロードキャストするシステム情報を意味し、複数の第２のシステム情報は、第１のシステム情報に含まれるシステム情報以外のシステム情報を意味する、判定することと、
複数の第２のシステム情報の識別子に基づいて、複数の第２のシステム情報の送信ステータスを判定することと、
第１のシステム情報をブロードキャストすることと、を含み、第１のシステム情報は、複数の第２のシステム情報の識別子及び送信ステータスを含み、送信ステータスは、対応する第２のシステム情報が、現在送信中であるか否かを示すために使用される。
【００９６】
任意選択的に、送信ステータスは、第１の送信ステータスと第２の送信ステータスを含む。第１の送信ステータスは、対応する第２のシステム情報が、現在送信中であることを示すために使用される。第２の送信ステータスは、対応する第２のシステム情報が、現在送信中ではないことを示すために使用される。
【００９７】
任意選択的に、複数の第２のシステム情報のそれぞれについて、第２のシステム情報の送信ステータスが第１の送信ステータスである場合、第１のシステム情報は、第２のシステム情報の送信モードをさらに含む。送信モードは、ブロードキャスト・モード又はユニキャスト・モードを含む。
【００９８】
任意選択的に、複数の第２のシステム情報のそれぞれについて、第２のシステム情報の送信モードがブロードキャスト・モードである場合、第１のシステム情報は、第２のシステム情報のブロードキャスト・アドレスをさらに含む。
【００９９】
本開示の実施形態において、装置は、第１のシステム情報から、現在サポートされている複数の第２のシステム情報の識別子を判定することができ、さらに、複数の第２のシステム情報の識別子に基づいて、複数の第２のシステム情報の送信ステータスを判定することができ、したがって、複数の第２のシステム情報の識別子及び送信ステータスを含む第１のシステム情報をブロードキャストすることができる。送信ステータスは、対応する第２のシステム情報が現在送信中であるか否かを示すために使用される。第１のシステム情報は、基地局によって周期的にブロードキャストされるシステム情報を意味する。第２のシステム情報は、第１のシステム情報に含まれるシステム情報以外のシステム情報を意味する。第１のシステム情報が、第２のシステム情報のそれぞれの送信ステータスを含むので、基地局によってブロードキャストされるシステム情報を受信した後、端末は、第１のシステム情報に基づいて、現在取得する必要のある第２のシステム情報が現在送信中であるか否かを判定することができる。それが送信中である場合には、第２のシステム情報は、基地局に取得要求を送ることなく、基地局により現在送信中である情報から直接取得することが可能であり、基地局が、第２のシステム情報の再送を行う必要がない。したがって、システム情報送信の効率性が向上し、基地局の信号伝送負荷が軽減される。
【０１００】
図７は、本開示の例示の実施形態によるシステム情報を送信するための装置７００のブロック図である。例えば、装置は、携帯電話、コンピュータ、デジタルブロードキャスト端末、メッセージングデバイス、ゲーミングコンソール、タブレットデバイス、医療装置、フィットネス機器、パーソナルデジタル支援機器などとすることができる。
【０１０１】
図７を参照すると、装置７００は、処理コンポーネント７０２、メモリ７０４、電源コンポーネント７０６、マルチメディアコンポーネント７０８、音声コンポーネント７１０、入出力（Ｉ／Ｏ）インターフェース７１２、センサコンポーネント７１４、及び通信コンポーネント７１６のうちの一つ以上のコンポーネントを含むことができる。
【０１０２】
処理コンポーネント７０２は、典型的には、ディスプレイ、電話通話、データ通信、カメラ動作、記録動作に関連する動作など、装置７００の動作全体を制御する。処理コンポーネント７０２は、上述の方法のステップの全部又は一部を実行する命令を実行する、一つ以上のプロセッサ７２０を含むことができる。  さらに、処理コンポーネント７０２は、処理コンポーネント７０２とその他のコンポーネントの間の相互作用を容易にする一つ以上のモジュールを含むことができる。例えば、処理コンポーネント７０２は、マルチメディア７０８と処理コンポーネント７０２の間の相互作用を容易にするマルチメディア・モジュールを含むことができる。
【０１０３】
メモリ７０４は、装置７００の動作を支援する様々なタイプのデータを格納するように構成される。そのようなデータの例は、装置７００上で働くアプリケーション又は方法のための命令、連絡先データ、電話帳データ、メッセージ、画像、映像等を含む。メモリ７０４は、スタティックランダムアクセス・メモリ（ＳＲＡＭ）、電気的に消去可能なプログラマブルリードオンリ・メモリ（ＥＥＰＲＯＭ）、消去可能なプログラマブルリードオンリ・メモリ（ＥＰＲＯＭ）、プログラマブルリードオンリ・メモリ（ＰＲＯＭ）、リードオンリ・メモリ（ＲＯＭ）、磁気メモリ、フラッシュメモリ、磁気又は光学ディスクなど、任意のタイプの揮発性又は非揮発性メモリデバイス、又はそれらの組み合わせを使用して、実装することができる。
【０１０４】
電源コンポーネント７０６は、装置７００の様々なコンポーネントに電力を提供する。電源コンポーネント７０６は、電力管理システム、一つ以上の電源、及び、装置７００の電力にかかわる発電、管理、配電、その他の任意のコンポーネントを含むことができる。
【０１０５】
マルチメディアコンポーネント７０８は、装置７００とユーザの間の出力インターフェースを提供する画面を含む。いくつかの実施形態では、画面は、液晶ディスプレイ（ＬＣＤ）及びタッチパネル（ＴＰ）を含むことができる。画面がタッチパネルを含む場合、画面は、ユーザから信号を受け取るタッチスクリーンとして実装することができる。タッチパネルは、タッチパネル上でタッチ、スワイプ、ジェスチャーを感知する一つ以上のタッチセンサを含む。タッチセンサは、タッチ又はスワイプ動作の境界を感知するのみならず、タッチ又はスワイプ動作に関連する時間及び圧力を感知することができる。いくつかの実施形態では、マルチメディアコンポーネント７０８は、前部カメラ及び／又は後部カメラを含む。前部カメラ及び後部カメラは、装置７００が、写真撮影モード又はビデオモードなど、動作モードにある間、外部のマルチメディアデータを受信することができる。前部カメラと後部カメラの各々は、固定の光学レンズシステムであるか、又は焦点と光学ズームの機能を有することができる。
【０１０６】
音声コンポーネント７１０は、音声信号を出力及び／又は入力するように構成される。例えば、音声コンポーネント７１０は、装置７００が、通話モード、記録モード、音声認識モードなど、動作モードにあるとき、外部の音声信号を受信するよう構成されたマイクロホン（ＭＩＣ）を含む。受信した音声信号は、さらに、メモリ７０４に格納、又は、通信コンポーネント７１６を介して送信することができる。いくつかの実施形態では、音声コンポーネント７１０は、さらに、音声信号を出力するためのスピーカーを含む。
【０１０７】
Ｉ／Ｏインターフェース７１２は、処理コンポーネント７０２と、キーボード、クリックホイール、ボタンなどの、周辺インタフェースモジュールの間のインターフェースを提供する。ボタンは、ホームボタン、音量ボタン、開始ボタン、ロックボタンを含み得るが、それらに限定されない。
【０１０８】
センサコンポーネント７１４は、装置７００の様々な面に関するステータス評価を与える一つ以上のセンサを含む。例えば、センサコンポーネント７１４は、装置７００のオン／オフ・ステータス、装置７００のディスプレイ装置とミニキーボードなど、コンポーネント同士の相対位置関係を検知することができ、また、センサコンポーネント７１４は、装置７００又は装置７００のコンポーネントの位置変化、装置７００に対するユーザの接触の有無、装置７００の向き、又は加速／減速、及び装置７００の温度変化を検知することができる。センサコンポーネント７１４は、物理的接触のない近接物体の存在を検知するように構成された近接センサを含むことができる。センサコンポーネント７１４は、撮像応用のために使用されるＣＭＯＳ又はＣＣＤイメージセンサなどの光センサも含むことができる。いくつかの実施形態では、センサコンポーネント７１４  は、加速度センサ、ジャイロスコープセンサ、磁気センサ、圧力センサ、又は温度センサも含むことができる。
【０１０９】
通信コンポーネント７１６は、装置７００とその他の装置の間に、無線又は有線の、通信を容易にするように構成される。装置７００は、ＷｉＦｉ、２Ｇ、あるいは３Ｇ、又はそれらの組み合わせなどの、通信標準に基づいて、無線ネットワークにアクセスすることができる。例示的実施形態において、通信コンポーネント７１６は、外部のブロードキャスト管理システムから、ブロードキャストチャネルを介して、ブロードキャスト信号又はブロードキャスト関連情報を受信する。例示的実施形態において、通信コンポーネント７１６は、近距離通信を容易にする近距離無線通信（ＮＦＣ）モジュールをさらに含む。
【０１１０】
例示的実施形態において、装置７００は、上述の方法を実行するための、一つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブル・ゲートアレイ（ＦＰＧＡ）、コントローラ、マイクロコントローラ、マイクロプロセッサ又はその他の電子コンポーネントを実装することができる。
【０１１１】
例示的実施形態において、装置７００内のプロセッサ７２０により実行可能な命令を含むメモリ７０４などの、上述の方法を実行するための、命令を含む非一時的コンピュータ可読記憶媒体も備えられる。例えば、非一時的コンピュータ可読記憶媒体は、ＲＯＭ、ＲＡＭ、ＣＤ−ＲＯＭ、磁気テープ、フロッピーディスク、光学データ格納デバイスなどを用いることができる。
【０１１２】
非一時的コンピュータ可読記憶媒体であって、非一時的コンピュータ可読記憶媒体の中の命令が装置７００のプロセッサにより実行されると、装置７００は、システム情報を送信する方法を実行することができる。
この方法は、
基地局によってブロードキャストされる第１のシステム情報を受信することであって、第１のシステム情報は、複数の第２のシステム情報の識別子及び送信ステータスを含み、送信ステータスは、対応する第２のシステム情報が現在送信中であるか否かを示すために使用され、第１のシステム情報は基地局によって周期的にブロードキャストされるシステム情報を意味し、複数の第２のシステム情報は第１のシステム情報に含まれるシステム情報以外のシステム情報を意味する、受信することと、
対象のシステム情報を取得する必要がある場合、対象のシステム情報の識別子に基づいて、第１のシステム情報から、対象のシステム情報の送信ステータスを取得することであって、対象のシステム情報は、複数の第２のシステム情報のいずれか一つである、取得することと、
対象のシステム情報の送信ステータスに基づいて、対象のシステム情報が現在送信中であると判定された場合、基地局により現在送信中である情報に基づいて、対象のシステム情報を取得することと、を含む。
【０１１３】
任意選択的に、基地局により現在送信中の情報に基づく、対象のシステム情報の前記取得の前に、方法は、
対象のシステム情報の送信ステータスが第１の送信ステータスであるか否かを判断することであって、第１の送信ステータスは、対象のシステム情報が現在送信中であることを示すために使用される、判断することと、
対象のシステム情報の送信ステータスが第１の送信ステータスである場合、対象のシステム情報は現在送信中であると判定することと、をさらに含む。
【０１１４】
任意選択的に、基地局によって現在送信中である情報に基づく対象のシステム情報の前記取得することは、
第１のシステム情報から、対象のシステム情報の送信モードを取得することと、
対象のシステム情報の送信モードがブロードキャスト・モードである場合、第１のシステム情報から、対象のシステム情報のブロードキャスト・アドレスを取得することと、
ブロードキャスト・アドレスに基づいて、基地局によって現在送信中である情報から、対象のシステム情報を取得することと、を含む。
【０１１５】
本開示の実施形態において、装置は、基地局によりブロードキャストされる第１のシステム情報を受信することができる。第１のシステム情報は、基地局によりサポートされている複数の第２のシステム情報の識別子及び送信ステータスを含むので、装置は、対象のシステム情報を取得する必要がある場合、第１のシステム情報から、対象のシステム情報の送信ステータスを取得することができる。対象のシステム情報は、複数の第２のシステム情報のいずれか一つである。対象のシステム情報の送信ステータスに基づいて、対象のシステム情報が、現在送信中であると判定された場合には、対象のシステム情報は、基地局に取得要求を送ることなく、基地局によって現在送信中である情報に基づいて、直接取得することができ、基地局は、その第２のシステム情報を再送する必要がない。したがって、システム情報の送信効率が向上し、基地局の信号伝送負荷が軽減される。
【０１１６】
本開示の他の実施形態は、本文書に開示する本開示の明細と実用を考慮したうえで、当業者にとって利用可能となり得る。本出願の意図は、本開示の一般原理に従う、本開示のあらゆる変形、用途、又は改造を対象とし、本開示の範囲を逸脱しない技術的常識又は通常の技術的手段を含むものである。明細書及び実施例は、例示としてのみ提示され、本開示の真の範囲及び精神は、下の請求の範囲に示される。
【０１１７】
本開示は、上に記載し、同封の図面に示す、正確な構成に限定されるものではなく、様々な修正及び変形が、本開示の範囲を逸脱することなく、実行可能であることが理解されるべきである。本開示の範囲は、添付の請求の範囲によってのみ限定可能である。
【図１】
0006839281.tif 000003
【図２】
0006839281.tif 000004
【図３】
0006839281.tif 000005
【図４】
0006839281.tif 000006
【図５Ａ】
0006839281.tif 000007
【図５Ｂ】
0006839281.tif 000008
【図５Ｃ】
0006839281.tif 000009
【図６】
0006839281.tif 000010
【図７】
0006839281.tif 000011